【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
遊技者が獲得した遊技球の数を計数する計数手段と、
周囲から空気を吸入し、塵、煙等を除去した後、前記計数手段の近傍にいる者に対して吹き付ける送風手段と
を備えたことを特徴とするパチンコ遊技客用清浄機。
【請求項２】
請求項１に記載のパチンコ遊技客用清浄機において、
前記計数手段の近傍に人がいること、を検出する対人センサと、
該対人センサによる検出結果に基づいて、前記送風手段を起動及び／若しくは停止させる送風制御手段と、
を備えたことを特徴とするパチンコ遊技客用清浄機。
【請求項３】
請求項１または請求項２に記載のパチンコ遊技客用清浄機において、
前記送風手段が、前記計数手段による計数が為されると起動される
ことを特徴とするパチンコ遊技客用清浄機。
【請求項４】
請求項１から請求項３にいずれか記載のパチンコ遊技客用清浄機において、
前記計数手段による計数結果を印字するための発行ボタンを備え、
該発行ボタンが押されると、前記送風手段による送風が停止される
ことを特徴とするパチンコ遊技客用清浄機。
【請求項５】
請求項１から請求項４にいずれか記載のパチンコ遊技客用清浄機において、
外部からの操作に応じて、前記送風手段が送る風の強さを変化させる風量調整手段
を備えたことを特徴とするパチンコ遊技客用清浄機。
【請求項６】
請求項１から請求項５にいずれか記載のパチンコ遊技客用清浄機において、
前記計数手段によって計数された遊技球の数に応じて風量を調節する風量制御手段
を備えたことを特徴とするパチンコ遊技客用清浄機。
【請求項７】
請求項１から請求項６にいずれか記載のパチンコ遊技客用清浄機において、
前記送風手段を起動させるための起動ボタン、を備え、
前記送風手段が、前記起動ボタンによっても、前記計数手段の計数動作によっても、起動されるもの、であり、
外部から入力された信号に基づいて、画像を出力可能な画像出力手段と、
前記送風手段を起動させたのが、前記起動ボタンを介して行なわれた外部からの操作か、或は前記計数手段の計数動作か、に応じて、前記画像出力手段に異なる画像を出力させる画像制御手段と、
を備えたことを特徴とするパチンコ遊技客用清浄機。
【手続補正２】
【補正対象書類名】明細書
【補正対象項目名】０００６
【補正方法】変更
【補正の内容】
【０００６】
また請求項２に記載の清浄機は、風が吹き付ける時間を必要最小限にすることを目的としている。
請求項３に記載の清浄機は、長時間、風を浴びることができるようにすることを目的としている。
請求項４に記載の清浄機は、確実に送風を停止させることができるようにすることを目的としている。
また更に、請求項５に記載の清浄機は、更に、吹き付けられる空気によって髪型が乱れるのを防止することを目的としている。


【手続補正３】
【補正対象書類名】明細書
【補正対象項目名】０００７
【補正方法】変更
【補正の内容】
【０００７】
そして請求項６に記載の清浄機は、清浄機によって吹き付けられる風によって、玉を獲得できた喜びを更に高めることを目的としている。
そして請求項７に記載の清浄機は、玉を獲得できなかった客も、遊技意欲を高められるようにすることを目的としている。


【手続補正４】
【補正対象書類名】明細書
【補正対象項目名】００１０
【補正方法】変更
【補正の内容】
【００１０】
請求項３に記載の本発明は、請求項１または請求項２に記載のパチンコ遊技客用清浄機において、
前記送風手段が、前記計数手段による計数によって起動されることを特徴とする。
請求項４に記載の本発明は、請求項１から請求項３にいずれか記載のパチンコ遊技客用清浄機において、
前記計数手段による計数結果を印字するための発行ボタンを備え、
該発行ボタンが押されると、前記送風手段による送風が停止されることを特徴とする。
請求項５に記載の本発明は、請求項１から請求項４にいずれか記載のパチンコ遊技客用清浄機において、
外部からの操作に応じて、前記送風手段が送る風の強さを変化させる風量調整手段、を備えたことを特徴とする。


【手続補正５】
【補正対象書類名】明細書
【補正対象項目名】００１１
【補正方法】変更
【補正の内容】
【００１１】
請求項６に記載の本発明は、請求項１から請求項５にいずれか記載のパチンコ遊技客用清浄機において、
前記計数手段によって計数された遊技球の数に応じて風量を調節する風量制御手段、を備えたことを特徴とする。


【手続補正６】
【補正対象書類名】明細書
【補正対象項目名】００１２
【補正方法】変更
【補正の内容】
【００１２】
請求項７に記載の本発明は、請求項１から請求項６にいずれか記載のパチンコ遊技客用清浄機において、
前記送風手段を起動させるための起動ボタン、を備え、前記送風手段が、前記起動ボタンによっても、前記計数手段の計数動作によっても、起動されるもの、であり、
外部から入力された信号に基づいて、画像を出力可能な画像出力手段と、
前記送風手段を起動させたのが、前記起動ボタンを介して行なわれた外部からの操作か、或は前記計数手段の計数動作か、に応じて、前記画像出力手段に異なる画像を出力させる画像制御手段と、を備えたことを特徴とする。


【手続補正７】
【補正対象書類名】明細書
【補正対象項目名】００１９
【補正方法】変更
【補正の内容】
【００１９】
従って、請求項２に記載の清浄機によれば、送風手段を常時稼働させている場合に比べ、大幅に稼働時間が短縮され、稼働に要するエネルギー、稼働に伴って発生する音を削減できる。
請求項３に記載の清浄機では、 送風手段が、計数手段による計数によって起動されるように構成されている。
こうすると、玉を投入した直後から風が吹き出されるので、長時間、風を浴びることができる。
請求項４に記載の清浄機では、 計数手段による計数結果を印字するための発行ボタンを備え、発行ボタンが押されると、送風手段による送風が停止されるようにされている。
こうすると、計数手段を作動させた場合にしか有効ではないが、確実に送風を停止させることができる。
なお、客の体を清浄させるからには、風は所定の強度にて吹き出す必要がある。しかし、タバコの匂いよりも、強い風によって髪型が乱れるのを気にする客がいることも予想される。


【手続補正８】
【補正対象書類名】明細書
【補正対象項目名】００２０
【補正方法】変更
【補正の内容】
【００２０】
そこで、請求項５に記載のパチンコ遊技客用清浄機では、外部からの操作に応じて、送風手段が送る風量を変化させる風量調整手段を備えている。
従って、請求項５に記載の清浄機によれば、遊技者の好みに応じた風量の風を送ることができる。なお、ここで、風量とは、本来、単位時間に風として吹き出される空気の体積のことであるが、ここでは単に、送風手段から吹き出される空気の総体積をも意味するものとする。従って、風量調整手段は、送風手段の風力を変化させたり、風の吹き出し口の数を変化させたりするものであればもちろん良いが、風を吹き出す時間を変化させるものでもよい。


【手続補正９】
【補正対象書類名】明細書
【補正対象項目名】００２１
【補正方法】変更
【補正の内容】
【００２１】
請求項６に記載の清浄機においては、計数手段によって計数された遊技球の数に応じて風量を調節する風量制御手段を備えている。ここで、「計数された遊技球の数」とは、最終的な計数結果でも良いし、各時点で計数が終った分の玉数や、計数し終った玉の重さでも良い。また、玉数が多いほど時間が掛かることから、計数に掛かった時間でも良い。この風量制御手段を用いて、計数された遊技球の数が多いときほど風が強く出るようにすれば、遊技者は、吹き出される風の風量により、計数値を身体全体で感じられる。しかも「計数された遊技球の数」として前記した内の、最終的な計数結果を採用した場合以外は、計数を開始した直後から風が吹き出し、徐々に風が強くなっていくので、遊技球を獲得した喜びを感じさせる演出として非常に効果的である。


【手続補正１０】
【補正対象書類名】明細書
【補正対象項目名】００２２
【補正方法】変更
【補正の内容】
【００２２】
従って、請求項６に記載の清浄機によれば、計数された遊技球の数を、吹き出される風の風量に変えて、身体全体で感じることができる。特に、視覚障害者や、聴覚障害者（或は、耳栓をした遊技者）にとっては、従来、映像や、音から玉量を把握するしかなかったが、この清浄機によれば、風が体に当たることにより、玉量を触覚として全身で感じることができる。


【手続補正１１】
【補正対象書類名】明細書
【補正対象項目名】００２３
【補正方法】変更
【補正の内容】
【００２３】
請求項７に記載のパチンコ遊技客用清浄機は、送風手段を起動させるための起動ボタンと、外部から入力された信号に基づいて、画像を出力可能な画像出力手段とを備えている。
そして送風手段が、起動ボタンによっても、計数手段の計数動作によっても、起動されるようにされている。そして更に、送風手段を起動させたのが、起動ボタンを介して行なわれた外部からの操作か、或は計数手段の計数動作か、に応じて、画像出力手段に異なる画像を出力させる画像制御手段を備えている。


【手続補正１２】
【補正対象書類名】明細書
【補正対象項目名】００２５
【補正方法】変更
【補正の内容】
【００２５】
従って、請求項７に記載のパチンコ遊技客用清浄機によれば、計数手段に玉を投入した遊技者は、玉を獲得できた喜びを一層増すことができる。また、起動ボタンを押した客に対しても、健闘を祈るメッセージや、激励をするメッセージを出力することにより、これから行なう遊技に対する意欲を湧き立たせることができる。


【手続補正１３】
【補正対象書類名】明細書
【補正対象項目名】００３３
【補正方法】変更
【補正の内容】
【００３３】
パイプ３７の、密閉ボックス３３に入り込んだ部分には、ダンパー５１が設けられている。ダンパー５１は、回転ダンパーであり、パイプ３７内の風路面積を変化させることにより風量を調整する。なお、図内にある矢印は、風の向きを示している。また、密閉ボックス３３に設けられた窪み５０は、玉投入口９に投入された遊技球が、転動される樋が設置される箇所である。